(57)【特許請求の範囲】
【請求項１】
負荷率を連続的に変更して被処理水から透過水を製造可能な複数の濾過装置を備える濾過装置群と、要求された透過水の通水流量である要求負荷に応じて前記濾過装置群により製造される透過水の通水流量を制御する制御部と、を備える濾過システムであって、
前記制御部は、各濾過装置の定格流量に対する前記要求負荷の割合である要求負荷の負荷率を算出し、前記濾過装置群の全体の透過水の通水流量の変動に対して、運転させる各濾過装置が最適運転負荷率ゾーンの範囲内で均等に負荷率を受け持つように濾過装置の運転台数を増減させ、定められた台数の濾過装置を均等な負荷率で運転させ、前記算出された各濾過装置の要求負荷の負荷率に基づいて、各濾過装置の透過水の通水流量が最適運転負荷率ゾーンを上回る場合には、濾過装置の台数を増加させ、各濾過装置の透過水の通水流量が最適運転負荷率ゾーンを下回る場合には、濾過装置の台数を減少させ、濾過装置の台数の増減後は、台数増減後の各濾過装置を均等な負荷率で運転させる、
濾過システム。
【発明の詳細な説明】
【技術分野】
【０００１】
本発明は、複数の濾過装置を含む濾過装置群を備える濾過システムに関する。
【背景技術】
【０００２】
原水（被処理水）から処理水（透過水）を製造する膜モジュールを備える膜濾過装置（濾過装置）が知られている。従来、需要箇所で消費される処理水を１台の膜濾過装置で製造できない場合に対応するため、複数の膜濾過装置を並列に接続した濾過システムが提案されている（例えば、特許文献１参照）。
【０００３】
このような複数の膜濾過装置を並列に接続した濾過システムにおいて、複数の膜濾過装置が、それぞれ、優先順位の定められた順に、最大通水状態（定格流量に対して最も大きい通水状態、例えば、定格流量の８０％の通水量における通水状態）になるまで、順番に、需要箇所から要求される負荷を受け持つように制御される場合がある。このように制御される場合に、例えば、複数の膜濾過装置において、１台目の膜濾過装置が最大通水状態に達するまでは、２台目の膜濾過装置を運転させずに、１台目の膜濾過装置のみで、処理水を製造するように制御される。１台目の膜濾過装置が最大通水状態に達した場合に、２台目の膜濾過装置の運転を開始するように制御される。２台目の膜濾過装置が最大通水状態に達するまでは、３台目の膜濾過装置を運転させずに、１台目及び２台目の膜濾過装置の２台で、処理水を製造するように制御される。３台目以降の膜濾過装置についても、この動作が順次実行されるように制御される。
【先行技術文献】
【特許文献】
【０００４】
【特許文献１】特開２０１０−１６２５０１号公報
【発明の概要】
【発明が解決しようとする課題】
【０００５】
上記のように制御される濾過システムにおいては、複数の膜濾過装置について、運転開始が早いほど積算通水時間が長くなり、運転開始が遅いほど積算通水時間が短くなる。これにより、膜濾過装置への積算通水時間に偏りが生じて、積算通水時間が長い特定の膜濾過装置について、膜の詰まりが進行しやすい。
【０００６】
従って、本発明は、複数の濾過装置を含む濾過装置群を備える濾過システムにおいて、膜の詰まりが進行しにくい濾過システムを提供することを目的とする。
【課題を解決するための手段】
【０００７】
本発明は、負荷率を連続的に変更して被処理水から透過水を製造可能な複数の濾過装置を備える濾過装置群と、要求された透過水の通水流量である要求負荷に応じて前記濾過装置群により製造される透過水の通水流量を制御する制御部と、を備える濾過システムであって、前記制御部は、各濾過装置の定格流量に対する前記要求負荷の割合である要求負荷の負荷率を算出し、前記濾過装置群の全体の透過水の通水流量の変動に対して、運転させる各濾過装置が最適運転負荷率ゾーンの範囲内で均等に負荷率を受け持つように濾過装置の運転台数を増減させ、定められた台数の濾過装置を均等な負荷率で運転させ、前記算出された各濾過装置の要求負荷の負荷率に基づいて、各濾過装置の透過水の通水流量が最適運転負荷率ゾーンを上回る場合には、濾過装置の台数を増加させ、各濾過装置の透過水の通水流量が最適運転負荷率ゾーンを下回る場合には、濾過装置の台数を減少させ、濾過装置の台数の増減後は、台数増減後の各濾過装置を均等な負荷率で運転させる、
濾過システムに関する。
【発明の効果】
【０００９】
本発明によれば、複数の濾過装置を含む濾過装置群を備える濾過システムにおいて、膜の詰まりが進行しにくい濾過システムを提供することができる。
【図面の簡単な説明】
【００１０】
【図１】本発明の一実施形態に係る濾過システム１の概略を示す図である。
【図２】本発明の濾過システム１における各膜濾過装置２０の構成の概略を示す図である。
【図３】膜濾過装置２０の運転台数と、膜濾過装置群２の総負荷率（各膜濾過装置２０の負荷率）との関係を示す説明図である。
【図４】各膜濾過装置２０の透過水Ｗ２の通水流量が最適運転負荷率ゾーンを上回る場合に、膜濾過装置２０の台数を増加させる動作を説明する図である。
【図５】各膜濾過装置２０の透過水Ｗ２の通水流量が最適運転負荷率ゾーンを下回る場合に、膜濾過装置２０の台数を減少させる動作を説明する図である。
【図６】本発明の一実施形態に係る膜濾過装置２０の概略を示す図である。
【図７】各工程における各弁の開閉状態を説明する図である。
【図８】台数制御装置３０における制御部３２において、膜濾過装置２０の運転台数を増減させる制御の処理手順を示すフローチャートである。
【発明を実施するための形態】
【００１１】
以下、本発明の実施形態に係る濾過システム１について、図面を参照しながら説明する。図１は、本発明の一実施形態に係る濾過システム１の概略を示す図である。図２は本発明の濾過システム１における各膜濾過装置２０の構成の概略を示す図である。図３は、膜濾過装置２０の運転台数と、膜濾過装置群２の総負荷率（各膜濾過装置２０の負荷率）との関係を示す説明図である。図４は、各膜濾過装置２０の透過水Ｗ２の通水流量が最適運転負荷率ゾーンを上回る場合に、膜濾過装置２０の台数を増加させる動作を説明する図である。図５は、各膜濾過装置２０の透過水Ｗ２の通水流量が最適運転負荷率ゾーンを下回る場合に、膜濾過装置２０の台数を減少させる動作を説明する図である。
【００１２】
まず、本発明の濾過システム１の全体構成につき、図１を参照しながら説明する。
図１に示すように、濾過システム１は、被処理水としての原水Ｗ１から透過水Ｗ２を製造可能な複数（５台）の膜濾過装置（濾過装置）２０を含む膜濾過装置群（濾過装置群）２と、複数の原水ポンプ３と、複数の第１インバータ４と、複数の膜濾過装置２０において製造された透過水Ｗ２を処理水Ｗ６として集合させる処理水タンク１６と、この処理水タンク１６の内部に貯留された処理水Ｗ６（透過水Ｗ２）の水位を検出する水位センサ１７と、逆洗水用タンク７と、逆洗水ポンプ５と、第２インバータ６と、薬剤添加装置８と、膜濾過装置群２により製造される透過水Ｗ２の通水流量を制御する制御部３２を有する台数制御装置３０と、を備える。
【００１３】
また、濾過システム１は、原水ラインＬ１１と、ローカル原水ラインＬ１２と、透過水ラインＬ２１と、ローカル透過水ラインＬ２２と、逆洗水ラインＬ３と、配水ラインＬ７と、を備える。なお、本明細書における「ライン」とは、流路、経路、管路等の流体の流通が可能なラインの総称である。
【００１４】
原水ラインＬ１１は、原水Ｗ１を複数の膜濾過装置２０に供給するラインである。原水ラインＬ１１の上流側の端部は、原水Ｗ１の供給源（不図示）に接続されている。原水ラインＬ１１の下流側の端部は、複数の膜濾過装置２０に向けてそれぞれローカル原水ラインＬ１２に分岐される。原水ラインＬ１１を流通する原水Ｗ１は、複数のローカル原水ラインＬ１２を介して、造水運転中において、複数の膜濾過装置２０にそれぞれ分配される。
【００１５】
複数のローカル原水ラインＬ１２には、それぞれ、原水ポンプ３が設けられている。
原水ポンプ３は、ローカル原水ラインＬ１２を流通する原水Ｗ１を吸入し、膜濾過装置２０へ向けて圧送（吐出、送出）する装置である。原水ポンプ３には、第１インバータ４から周波数が変換された駆動電力が供給される。原水ポンプ３は、入力された駆動電力の周波数（以下、「駆動周波数」ともいう）に応じた回転速度で駆動される。
【００１６】
第１インバータ４は、原水ポンプ３に、周波数が変換された駆動電力を供給する電気回路（又はその回路を持つ装置）である。第１インバータ４は、膜濾過装置２０のローカル制御部２２（後述）それぞれと電気的に接続されている。第１インバータ４には、ローカル制御部２２（後述）から周波数指定信号（すなわち、指令信号）が入力される。第１インバータ４は、信号線５３を介して、ローカル制御部２２（後述）により入力された周波数指定信号（電流値信号又は電圧値信号）に対応する駆動周波数の駆動電力を、原水ポンプ３に出力する。
【００１７】
ここで、各膜濾過装置２０に備えられた流量センサ１２（後述、図６参照）からの流量検知信号に基づいて、第１インバータ４に周波数指定信号を入力することにより、原水ポンプ３の回転速度を可変させることができる。この構成によれば、流量センサ１２により検出される透過水Ｗ２の流量に基づくフィードバック制御により、透過水Ｗ２の流量を一定に維持するように制御を行うことができる。これにより、各膜モジュール２１の膜表面でのケーキ層の成長につれて、膜間の通水抵抗が増加しても、原水ポンプ３の回転数が自動的に調整されて、透過水Ｗ２の流量を一定に制御することができる。
【００１８】
複数の膜濾過装置２０は、図１に示すように、それぞれ、複数（４本）の膜モジュール２１を備える。本実施形態においては、複数の膜濾過装置２０は、原水Ｗ１から、それぞれ、同じ定格流量で透過水Ｗ２を製造可能である。また、複数の膜濾過装置２０は、それぞれ、台数制御装置３０と電気的に接続されている。膜濾過装置２０の詳細については後述する。
【００１９】
透過水ラインＬ２１は、複数の膜濾過装置２０で製造された透過水Ｗ２を処理水タンク１６へ送出するラインである。透過水ラインＬ２１の上流側の端部は、複数のローカル透過水ラインＬ２２に分岐し、膜濾過装置２０それぞれの膜モジュール２１に接続されている。透過水ラインＬ２１の下流側の端部は、処理水タンク１６に接続されている。透過水ラインＬ２１には、上流側から順に、接続部Ｊ４、処理水タンク１６が設けられている。
【００２０】
膜濾過装置群２は、負荷機器としての処理水使用設備１８に供給する透過水Ｗ２を製造する。膜濾過装置群２により製造された透過水Ｗ２は、透過水ラインＬ２１を介して処理水タンク１６に補給される。
【００２１】
接続部Ｊ４には、逆洗水ラインＬ３の上流側の端部が接続されている。逆洗水ラインＬ３は、接続部Ｊ４において透過水ラインＬ２１から分岐され、後述する逆洗水用タンク７を経由して、膜濾過装置２０の内部の接続部Ｊ３（図６参照）において透過水ラインＬ２１に合流されるラインである。逆洗水ラインＬ３の上流側の端部は、接続部Ｊ４に接続されている。逆洗水ラインＬ３の下流側の端部は分岐されており、それぞれ、膜濾過装置２０の内部において透過水ラインＬ２１の接続部Ｊ３に接続されている（図６参照）。逆洗水ラインＬ３には、複数の膜モジュール２１における逆洗工程（後述）を実行するために、複数の膜モジュール２１において製造された透過水Ｗ２の一部が流通される。
【００２２】
逆洗水ラインＬ３には、図１に示すように、上流側から順に、接続部Ｊ４、逆洗水用タンク７、逆洗水ポンプ５、接続部Ｊ５、複数の膜濾過装置２０が設けられている。
【００２３】
逆洗水用タンク７は、逆洗工程のために、複数の膜モジュール２１において製造された透過水Ｗ２の一部を、逆洗水ラインＬ３を流通させて、逆洗水Ｗ３（透過水Ｗ２）として貯留するタンクである。
【００２４】
逆洗水ポンプ５は、逆洗工程において、逆洗水ラインＬ３を流通する逆洗水Ｗ３（透過水Ｗ２）を吸入し、複数の膜モジュール２１へ向けて圧送（吐出、送出）する装置である。逆洗水ポンプ５は、逆洗排水Ｗ４の流量を変更可能である。逆洗水ポンプ５には、第２インバータ６から周波数が変換された駆動電力が供給される。逆洗水ポンプ５は、入力された駆動電力の周波数（以下、「駆動周波数」ともいう）に応じた回転速度で駆動される。
【００２５】
第２インバータ６は、逆洗水ポンプ５に、周波数が変換された駆動電力を供給する電気回路（又はその回路を持つ装置）である。第２インバータ６は、信号線５４を介して、台数制御装置３０と電気的に接続されている。第２インバータ６には、台数制御装置３０から周波数指定信号が入力される。第２インバータ６は、信号線５４を介して、ローカル制御部２２により入力された周波数指定信号（電流値信号又は電圧値信号）に対応する駆動周波数の駆動電力を逆洗水ポンプ５に出力する。
【００２６】
接続部Ｊ５には、薬剤添加装置８が接続されている。薬剤添加装置８は、逆洗工程において、複数の膜モジュール２１へ流入する逆洗水Ｗ３に薬剤を添加（供給）する装置である。逆洗工程において逆洗水Ｗ３に薬剤を添加することにより、複数の膜モジュール２１の濾過性能を維持するために、膜の表面に堆積した汚濁物質を化学的な洗浄により除去する。薬剤としては、例えば、酸化剤が利用され、酸化剤としては、次亜塩素酸ナトリウム等が用いられる。
【００２７】
薬剤添加装置８は、例えば複数回の逆洗工程に対して１回の頻度で、逆洗水ラインＬ３を流通する逆洗水Ｗ３の流量に比例して逆洗水Ｗ３に薬剤を供給する。薬剤の添加は、例えば複数回の逆洗工程に対して１回の頻度で、例えば１日に１回程度の頻度で実行される。薬剤添加装置８は、信号線５５を介して、台数制御装置３０と電気的に接続されている。薬剤添加装置８における薬剤の添加は、台数制御装置３０により制御されている。
【００２８】
処理水タンク１６は、膜濾過装置群２で製造された透過水Ｗ２を集合させて処理水Ｗ６として貯留する。処理水タンク１６は、透過水ラインＬ２１を介して、膜濾過装置群２を構成する複数の膜濾過装置２０に接続されている。
この処理水タンク１６の下流側は、配水ラインＬ７を介して、処理水使用設備１８に接続されている。処理水タンク１６に貯留された処理水Ｗ６（透過水Ｗ２）は、配水ラインＬ７を介して、処理水Ｗ６として、処理水使用設備１８に供給される。
【００２９】
処理水タンク１６には、水位センサ１７が設けられている。水位センサ１７は、処理水タンク１６に貯留された処理水Ｗ６（透過水Ｗ２）の水位を検出する機器である。水位センサ１７は、台数制御装置３０のローカル制御部２２と電気的に接続されている。水位センサ１７で測定された処理水タンク１６の水位（以下、「検出水位値」ともいう）は、台数制御装置３０のローカル制御部２２へ検出信号として出力される。
【００３０】
水位センサ１７は、信号線５１を介して、台数制御装置３０に電気的に接続されている。水位センサ１７は、処理水タンク１６の内部に貯留された処理水Ｗ６（膜濾過装置群２で製造されて貯留された処理水Ｗ６（透過水Ｗ２））の水位を測定し、測定した水位に係る信号（水位信号）を、信号線５１を介して台数制御装置３０に送信する。本実施形態において、水位センサ１７は、例えば、連続式レベルセンサであり、例えば、静電容量式センサ、圧力式センサ、超音波式センサ等が用いられる。図１では、水位センサ１７として、静電容量式センサを設けた例を示す。
【００３１】
台数制御装置３０は、信号線５２を介して、複数の膜濾過装置２０と電気的に接続されている。この台数制御装置３０は、水位センサ１７により測定される処理水タンク１６の内部に貯留された処理水Ｗ６の水位に基づいて、各膜濾過装置２０により製造される透過水Ｗ２の通水流量を制御する。台数制御装置３０の詳細については、後述する。
【００３２】
以上の濾過システム１は、膜濾過装置群２で製造された透過水Ｗ２を、処理水タンク１６を介して、処理水使用設備１８に供給可能とされている。
濾過システム１において要求される負荷（要求負荷）は、処理水使用設備１８における処理水Ｗ６の消費量であって、需要箇所（処理水使用設備１８）から要求された処理水Ｗ６（透過水Ｗ２）の通水流量である。台数制御装置３０は、この処理水Ｗ６の消費量の変動に対応して生じる処理水タンク１６の内部に貯留された処理水Ｗ６の水位の変動を、水位センサ１７が測定する処理水タンク１６の内部に貯留された処理水Ｗ６の水位（物理量）に基づいて算出し、膜濾過装置群２を構成する各膜濾過装置２０により製造される透過水Ｗ２の通水流量（処理水Ｗ６の水量）を制御する。
【００３３】
具体的には、処理水使用設備１８の需要の増大により要求負荷（処理水Ｗ６の消費量、処理水使用設備１８から要求された処理水Ｗ６の通水流量）が増加し、処理水タンク１６に供給される処理水Ｗ６の水量が不足すれば、処理水タンク１６の内部に貯留された処理水Ｗ６の水位が低下することになる。一方、処理水使用設備１８の需要の低下により要求負荷（処理水Ｗ６の消費量、処理水使用設備１８から要求された処理水Ｗ６の通水流量）が減少し、処理水タンク１６に供給される処理水Ｗ６が過剰になれば、処理水タンク１６の内部に貯留された処理水Ｗ６の水位が上昇することになる。従って、濾過システム１は、水位センサ１７により測定された処理水タンク１６の内部に貯留された処理水Ｗ６の水位の変動に基づいて、要求負荷の変動をモニターすることができる。そして、濾過システム１は、処理水タンク１６の内部に貯留された処理水Ｗ６の水位に基づいて、処理水使用設備１８の処理水Ｗ６の消費量（要求負荷）に応じて必要とされる処理水量である必要通水流量を算出する。
【００３４】
ここで、本実施形態の濾過システム１を構成する複数の膜濾過装置２０について説明する。本実施形態の膜濾過装置２０は、負荷率を連続的に変更して原水Ｗ１から透過水Ｗ２を製造可能な比例制御を実行可能な膜濾過装置からなる。膜濾過装置２０における負荷率とは、膜濾過装置２０の定格流量に対する透過水Ｗ２の通水流量の割合である。
【００３５】
図２に示すように、比例制御を実行可能な膜濾過装置２０とは、少なくとも、最小通水状態Ｓ１（定格通水状態Ｓ３における定格流量に対して最も小さい通水状態）から最大通水状態Ｓ２（定格通水状態Ｓ３における定格流量に対して最も大きい通水状態）の範囲で、通水量が連続的に制御可能とされている膜濾過装置である。
【００３６】
本実施形態においては、最小通水状態Ｓ１の負荷率と最大通水状態Ｓ２の負荷率との間の範囲を、最適運転負荷率ゾーンに設定する。
最小通水状態Ｓ１の負荷率は、各膜濾過装置２０の定格流量に対して、膜濾過装置２０の通水流量の検出の精度を確保できる下限流量の割合である。膜濾過装置２０の通水流量を正確に把握できないと、濾過システム１を、各膜濾過装置２０の負荷率に基づいて制御できないため、最小通水状態Ｓ１の負荷率が設定される。本実施形態においては、例えば、最小通水状態Ｓ１の負荷率を、膜濾過装置２０の定格流量の４０％に設定する。
【００３７】
最大通水状態Ｓ２の負荷率は、膜濾過装置２０の膜の細孔内への懸濁物質の押し込みが起こらない上限流量の割合である。膜濾過装置２０の膜の細孔内への懸濁物質の押し込みが生じると、膜に不可逆的な膜閉塞が生じて、膜の回復が不可能になってしまうため、最大通水状態Ｓ２の負荷率が設定される。本実施形態においては、例えば、最大通水状態Ｓ２の負荷率を、膜濾過装置２０の定格流量の８０％に設定する。
【００３８】
比例制御を実行可能な膜濾過装置２０は、例えば、後述する膜濾過装置２０の原水弁Ｖ１（図６参照）の開度を制御することにより、ローカル原水ラインＬ１２を流通する原水Ｗ１の通水量を調整するようになっている。
【００３９】
また、通水量を連続的に制御するとは、後述のローカル制御部２２における演算や信号がデジタル方式とされて段階的に取り扱われる場合（例えば、膜濾過装置２０の出力（透過水Ｗ２の流量）が１％刻みで制御される場合）であっても、事実上連続的に出力を制御可能な場合を含む。
【００４０】
本実施形態では、膜濾過装置２０の通水停止状態Ｓ０と最小通水状態Ｓ１との間の通水状態の変更は、膜濾過装置２０の通水をオン／オフ（原水弁Ｖ１の弁体を開閉）することで制御される。そして、最小通水状態Ｓ１から最大通水状態Ｓ２の最適運転負荷率ゾーンの範囲においては、通水量が連続的に制御可能となっている。
【００４１】
また、複数の膜濾過装置２０には、それぞれ優先順位が設定されている。優先順位は、通水指示や通水停止指示を行う膜濾過装置２０を選択するために用いられる。優先順位は、例えば整数値を用いて、数値が小さいほど優先順位が高くなるよう設定することができる。図２に示すように、膜濾過装置２０の１号機〜５号機のそれぞれに「１」〜「５」の優先順位が割り当てられている場合、１号機の優先順位が最も高く、５号機の優先順位が最も低い。この優先順位は、通常の場合、後述の制御部３２の制御により、所定の時間間隔（例えば、２４時間間隔）で変更される。
【００４２】
次に、本実施形態の濾過システム１による複数の膜濾過装置２０により製造される透過水Ｗ２の通水流量の制御の詳細について説明する。
台数制御装置３０は、水位センサ１７からの水位信号に基づいて、要求負荷（処理水使用設備１８から要求された処理水Ｗ６（透過水Ｗ２）の通水流量）に応じた運転台数、及び膜濾過装置群２の必要通水流量（負荷率）を算出し、各膜濾過装置２０（後述のローカル制御部２２）に台数制御信号を送信する。この台数制御装置３０は、図１に示すように、記憶部３１と、制御部３２と、を備える。
【００４３】
記憶部３１は、台数制御装置３０（制御部３２）の制御により各膜濾過装置２０に対して行われた指示の内容や、各膜濾過装置２０から受信した運転状態等の情報、複数の膜濾過装置２０の通水パターンの設定条件等の情報、複数の膜濾過装置２０の優先順位の設定の情報、優先順位の変更（ローテーション）に関する設定の情報等を記憶する。
【００４４】
制御部３２は、信号線５２を介して各膜濾過装置２０に各種の指示を行ったり、各膜濾過装置２０から各種のデータを受信したりして、５台の膜濾過装置２０の通水状態や優先順位を制御する。各膜濾過装置２０は、台数制御装置３０から通水状態の変更指示の信号を受けると、その指示に従って当該膜濾過装置２０を制御する。
【００４５】
制御部３２は、逆洗水ポンプ５の駆動周波数を演算し、当該駆動周波数の演算値に対応する周波数指定信号（電流値信号又は電圧値信号）を第２インバータ６に出力する。
【００４６】
制御部３２は、運転させる各膜濾過装置２０が最適運転負荷率ゾーンの範囲内で均等に負荷率を受け持つように、定められた台数の膜濾過装置２０を均等な負荷率で運転させる。膜濾過装置２０の均等な負荷率は、各膜濾過装置２０の定格流量を１００％としたときの割合で算出され、膜濾過装置２０に通水させる通水流量値として算出される。本実施形態においては、複数の膜濾過装置２０は、それぞれ、同じ定格容量で、透過水Ｗ２を製造する。膜濾過装置２０に通水させる通水流量は、各膜濾過装置２０のローカル制御部２２（後述）により、第１インバータ４に周波数指定信号を入力することにより、原水ポンプ３の回転速度を制御することで、調整される。
【００４７】
本実施形態においては、前述したように、最小通水状態Ｓ１の負荷率と最大通水状態Ｓ２の負荷率との間の範囲を、最適運転負荷率ゾーンに設定する。例えば、前述したように、制御部３２は、最小通水状態Ｓ１の負荷率を定格流量（１００％）に対して４０％とし、最大通水状態Ｓ２の負荷率を定格流量（１００％）に対して８０％とし、その間の範囲を、最適運転負荷率ゾーン（４０％〜８０％）に設定する。
【００４８】
ここで、５台の膜濾過装置２０を運転する場合に、最適運転負荷率ゾーン（４０％〜８０％）の範囲内で均等に負荷率を受け持つように、各膜濾過装置２０の定格流量を１００％としたときに、膜濾過装置群２の全体が製造する透過水Ｗ２の総負荷率は、次のようになる。膜濾過装置群２における総負荷率とは、１台の膜濾過装置２０の定格流量を１００％に対して、５台の膜濾過装置２０が製造する透過水Ｗ２の総流量の割合である。
【００４９】
図３に示すように、膜濾過装置２０の運転台数が１台の場合は、膜濾過装置群２が製造する透過水Ｗ２の総負荷率は、最適運転負荷率ゾーン（４０％〜８０％）の範囲内で膜濾過装置２０を運転するため、４０％（４０％×１台）〜８０％（８０％×１台）の範囲となる。
膜濾過装置２０の運転台数が２台の場合は、膜濾過装置群２が製造する透過水Ｗ２の総負荷率は、最適運転負荷率ゾーン（４０％〜８０％）の範囲内で２台の膜濾過装置２０それぞれを運転するため、８０％（４０％×２台）〜１６０％（８０％×２台）の範囲となる。
【００５０】
膜濾過装置２０の運転台数が３台の場合は、膜濾過装置群２が製造する透過水Ｗ２の総負荷率は、最適運転負荷率ゾーン（４０％〜８０％）の範囲内で３台の膜濾過装置２０それぞれを運転するため、１２０％（４０％×３台）〜２４０％（８０％×３台）の範囲となる。
膜濾過装置２０の運転台数が４台の場合は、膜濾過装置群２が製造する透過水Ｗ２の総負荷率は、最適運転負荷率ゾーン（４０％〜８０％）の範囲内で４台の膜濾過装置２０それぞれを運転するため、１６０％（４０％×４台）３２０％（８０％×４台）の範囲となる。
膜濾過装置２０の運転台数が５台の場合は、膜濾過装置群２が製造する透過水Ｗ２の総負荷率は、最適運転負荷率ゾーン（４０％〜８０％）の範囲内で５台の膜濾過装置２０それぞれを運転するため、２００％（４０％×５台）〜４００％（８０％×５台）の範囲となる。
【００５１】
すなわち、各膜濾過装置２０が最適運転負荷率ゾーンの範囲内で均等に負荷率を受け持つように運転されるために、１台の膜濾過装置２０の定格流量を１００％としたときに、処理水使用設備１８の要求負荷の負荷率が４０〜８０％の場合には１台の膜濾過装置２０で運転可能であり、処理水使用設備１８の要求負荷の負荷率が８０〜１６０％の場合には２台の膜濾過装置２０で運転可能であり、処理水使用設備１８の要求負荷の負荷率が１２０〜２４０％の場合には３台の膜濾過装置２０で運転可能であり、処理水使用設備１８の要求負荷の負荷率が１６０〜３２０％の場合には４台の膜濾過装置２０で運転可能であり、処理水使用設備１８の要求負荷の負荷率が２００〜４００％の場合には５台の膜濾過装置２０で運転可能である。
【００５２】
処理水使用設備１８の要求負荷の負荷率の範囲が重複する場合には、膜濾過装置２０の運転台数は、各膜濾過装置２０が最適運転負荷率ゾーン（４０％〜８０％）の範囲内であれば、何台でもよい。例えば、図３に示すように、要求負荷の負荷率が１２０％〜１６０％の場合には、２台又は３台の膜濾過装置２０を運転させることで、要求負荷の負荷率となる透過水Ｗ２を製造できる。要求負荷の負荷率が１６０％〜２００％の場合には、３台又は４台の膜濾過装置２０を運転させることで、要求負荷の負荷率となる透過水Ｗ２を製造できる。要求負荷の負荷率が２００％〜２４０％の場合には、３台、４台又は５台の膜濾過装置２０を運転させることで、要求負荷の負荷率となる透過水Ｗ２を製造できる。要求負荷の負荷率が２４０％〜３２０％の場合には、４台又は５台の膜濾過装置２０を運転させることで、要求負荷の負荷率となる透過水Ｗ２を製造できる。
なお、膜濾過装置２０を運転台数の選択肢が複数ある場合には、運転台数の決定は、負荷率が小さい方の運転台数としたり、負荷率が大きい方の運転台数小さい方の運転台数としたり、適宜設定による。
【００５３】
制御部３２は、膜濾過装置群２の全体の透過水Ｗ２の通水流量の変動に対して、運転させる各膜濾過装置２０が最適運転負荷率ゾーンの範囲内で均等に負荷率を受け持つように膜濾過装置２０の運転台数を増減させる。制御部３２は、各膜濾過装置２０の透過水Ｗ２の通水流量が最適運転負荷率ゾーンを上回る場合には、膜濾過装置２０の台数を増加させ、各膜濾過装置２０の透過水Ｗ２の通水流量が最適運転負荷率ゾーンを下回る場合には、膜濾過装置２０の台数を減少させ、膜濾過装置２０の台数の増減後は、台数増減後の各膜濾過装置２０を均等な負荷率で運転させる。
【００５４】
ここで、各膜濾過装置２０の透過水Ｗ２の通水流量が最適運転負荷率ゾーンを上回る場合に、膜濾過装置２０の台数を増加させる動作について、図４を参照しながら説明する。図４においては、図４（Ａ）から図４（Ｅ）に進むに従って、膜濾過装置２０の運転台数を増加させている。
【００５５】
図４（Ａ）に示すように、制御部３２は、処理水使用設備１８の要求負荷の負荷率が４０％〜８０％の範囲においては、１台の膜濾過装置２０（１号機）を最適運転負荷率ゾーン（４０％〜８０％）で運転させる。
【００５６】
処理水使用設備１８の要求負荷の負荷率が４０％〜８０％の範囲で１台の膜濾過装置２０（１号機）を運転している場合（図４（Ａ）参照）に、要求負荷の負荷率が８０％を上回ると、膜濾過装置２０の負荷率が最適運転負荷率ゾーン（４０％〜８０％）を上回るため、制御部３２は、膜濾過装置２０の台数を２台に増加させ、２台の膜濾過装置２０（１号機、２号機）を均等な負荷率で運転させる（図４（Ｂ）参照）。要求負荷の負荷率の範囲が８０％〜１６０％の範囲においては、最適運転負荷率ゾーン（４０％〜８０％）で、２台の膜濾過装置２０を運転させる。
【００５７】
処理水使用設備１８の要求負荷の負荷率が８０％〜１６０％の範囲で２台の膜濾過装置２０（１号機、２号機）を均等な負荷率で運転している場合（図４（Ｂ）参照）に、要求負荷の負荷率が１６０％を上回ると、各膜濾過装置２０の負荷率が最適運転負荷率ゾーン（４０％〜８０％）を上回るため、制御部３２は、膜濾過装置２０の台数を３台に増加させ、３台の膜濾過装置２０（１号機、２号機、３号機）を均等な負荷率で運転させる（図４（Ｃ）参照）。要求負荷の負荷率が１６０％〜２４０％の範囲においては、最適運転負荷率ゾーン（４０％〜８０％）で、３台の膜濾過装置２０を運転させる。
【００５８】
処理水使用設備１８の要求負荷の負荷率が１６０％〜２４０％の範囲で３台の膜濾過装置２０（１号機、２号機、３号機）を均等な負荷率で運転している場合（図４（Ｃ）参照）に、要求負荷の負荷率が２４０％を上回ると、各膜濾過装置２０の負荷率が最適運転負荷率ゾーン（４０％〜８０％）を上回るため、制御部３２は、膜濾過装置２０の台数を４台に増加させ、４台の膜濾過装置２０（１号機、２号機、３号機、４号機）を均等な負荷率で運転させる（図４（Ｄ）参照）。要求負荷の負荷率が２４０％〜３２０％の範囲においては、最適運転負荷率ゾーン（４０％〜８０％）で、４台の膜濾過装置２０を運転させる。
【００５９】
処理水使用設備１８の要求負荷の負荷率が２４０％〜３２０％の範囲で４台の膜濾過装置２０（１号機、２号機、３号機、４号機）を均等な負荷率で運転している場合（図４（Ｄ）参照）に、要求負荷の負荷率が３２０％を上回ると、各膜濾過装置２０の負荷率が最適運転負荷率ゾーン（４０％〜８０％）を上回るため、制御部３２は、膜濾過装置２０の台数を５台に増加させ、５台の膜濾過装置２０（１号機、２号機、３号機、４号機、５号機）を均等な負荷率で運転させる（図４（Ｅ）参照）。要求負荷の負荷率が３２０％〜４００％の範囲においては、最適運転負荷率ゾーン（４０％〜８０％）で、５台の膜濾過装置２０を運転させる。
【００６０】
また、各膜濾過装置２０の透過水Ｗ２の通水流量が最適運転負荷率ゾーンを下回る場合に、膜濾過装置２０の台数を減少させる動作について、図５を参照しながら説明する。図５においては、図５（Ａ）から図５（Ｅ）に進むに従って、膜濾過装置２０の運転台数を減少させている。
【００６１】
図５（Ａ）に示すように、制御部３２は、処理水使用設備１８の要求負荷の負荷率が４００％〜２００％の範囲においては、５台の膜濾過装置２０（１号機、２号機、３号機、４号機、５号機）それぞれを最適運転負荷率ゾーン（４０％〜８０％）で均等な負荷率で運転させる。
【００６２】
処理水使用設備１８の要求負荷の負荷率が４００％〜２００％の範囲で５台の膜濾過装置２０（１号機、２号機、３号機、４号機、５号機）を均等な負荷率で運転している場合（図５（Ａ）参照）に、要求負荷の負荷率が２００％を下回ると、各膜濾過装置２０の負荷率が最適運転負荷率ゾーン（４０％〜８０％）を下回るため、制御部３２は、膜濾過装置２０の台数を４台に減少させ、４台の膜濾過装置２０（１号機、２号機、３号機、４号機）を均等な負荷率で運転させる（図５（Ｂ）参照）。要求負荷の負荷率が２００％〜１６０％の範囲においては、最適運転負荷率ゾーン（４０％〜８０％）で、４台の膜濾過装置２０を運転させる。
【００６３】
処理水使用設備１８の要求負荷の負荷率が２００％〜１６０％の範囲で４台の膜濾過装置２０（１号機、２号機、３号機、４号機）を均等な負荷率で運転している場合（図５（Ｂ）参照）に、要求負荷の負荷率が１６０％を下回ると、各膜濾過装置２０の負荷率が最適運転負荷率ゾーン（４０％〜８０％）を下回るため、制御部３２は、膜濾過装置２０の台数を３台に減少させ、３台の膜濾過装置２０（１号機、２号機、３号機）を均等な負荷率で運転させる（図５（Ｃ）参照）。要求負荷の負荷率が１６０％〜１２０％の範囲においては、最適運転負荷率ゾーン（４０％〜８０％）で、３台の膜濾過装置２０を運転させる。
【００６４】
処理水使用設備１８の要求負荷の負荷率が１６０％〜１２０％の範囲で３台の膜濾過装置２０（１号機、２号機、３号機）を均等な負荷率で運転している場合（図５（Ｃ）参照）に、要求負荷の負荷率が１２０％を下回ると、各膜濾過装置２０の負荷率が最適運転負荷率ゾーン（４０％〜８０％）を下回るため、制御部３２は、膜濾過装置２０の台数を２台に減少させ、２台の膜濾過装置２０（１号機、２号機）を均等な負荷率で運転させる（図５（Ｄ）参照）。要求負荷の負荷率が１２０％〜８０％の範囲においては、最適運転負荷率ゾーン（４０％〜８０％）で、２台の膜濾過装置２０を運転させる。
【００６５】
処理水使用設備１８の要求負荷の負荷率が１２０％〜８０％の範囲で２台の膜濾過装置２０（１号機、２号機）を均等な負荷率で運転している場合（図５（Ｄ）参照）に、要求負荷の負荷率が８０％を下回ると、各膜濾過装置２０の負荷率が最適運転負荷率ゾーン（４０％〜８０％）を下回るため、制御部３２は、膜濾過装置２０の台数を１台に減少させ、１台の膜濾過装置２０（１号機）を均等な負荷率で運転させる（図５（Ｅ）参照）。要求負荷の負荷率が８０％〜４０％の範囲においては、最適運転負荷率ゾーン（４０％〜８０％）で、１台の膜濾過装置２０を運転させる。
【００６６】
次に、複数の膜濾過装置２０の構成について、図６及び図７を参照して説明する。ここでは、１つの膜濾過装置２０を代表して構成を説明するが、他の膜濾過装置２０も同じ構成である。図６は、本発明の一実施形態に係る膜濾過装置２０の概略を示す図である。図７は、各工程における各弁の開閉状態を説明する図である。
【００６７】
図６に示すように、本実施形態の膜濾過装置２０は、複数の膜モジュール２１と、ローカル制御部２２と、を備える。また、図６に示すように、膜濾過装置２０は、ローカル原水ラインＬ１２と、ローカル透過水ラインＬ２２と、逆洗水ラインＬ３と、第１排出ラインＬ４と、第２排出ラインＬ６と、洗浄エア供給ラインＬ５と、を備える。
【００６８】
また、膜濾過装置２０は、原水弁Ｖ１と、透過水弁Ｖ２と、逆洗水弁Ｖ３と、第１排出弁Ｖ４と、第２排出弁Ｖ６と、エア流量調整弁Ｖ５と、温度検出手段としての温度センサ１１と、流量検出手段としての流量センサ１２と、を備える。
【００６９】
図６では、電気的な接続の経路を省略するが、ローカル制御部２２は、原水弁Ｖ１、透過水弁Ｖ２、逆洗水弁Ｖ３、第１排出弁Ｖ４、第２排出弁Ｖ６、エア流量調整弁Ｖ５、第１インバータ４（図１参照）、温度センサ１１、流量センサ１２等と電気的に接続される。
【００７０】
図６に示すように、ローカル原水ラインＬ１２には、被処理水としての原水Ｗ１が流通する。ローカル原水ラインＬ１２は、原水Ｗ１を、複数の膜モジュール２１へ流通させるラインである。ローカル原水ラインＬ１２は、原水Ｗ１の供給源（不図示）と膜モジュール２１とを、原水ラインＬ１１（図１参照）を介してつなぐラインである。ローカル原水ラインＬ１２の上流側の端部は、原水ラインＬ１１の下流側の端部に接続されている。また、ローカル原水ラインＬ１２の下流側の端部は分岐されており、それぞれ、膜モジュール２１に接続されている。
【００７１】
ローカル原水ラインＬ１２における分岐前の部分には、図６に示すように、原水弁Ｖ１が設けられている。原水弁Ｖ１は、例えば電動弁からなり、ローカル制御部２２の制御により、ローカル原水ラインＬ１２を開閉するように構成されている。
【００７２】
複数の膜モジュール２１は、処理水使用設備１８（図１参照）が要求する処理水Ｗ６の要求負荷に対応するため、処理水量を増加させるように、並列接続されている。
【００７３】
膜モジュール２１には、原水Ｗ１が供給される。膜モジュール２１は、原水ポンプ３により圧送された原水Ｗ１から、汚濁物質が除去された透過水Ｗ２を製造する。膜モジュール２１は、例えば、ポリフッ化ビニリデン（ＰＶＤＦ）製の中空糸膜の束をベッセル内に収容し、ベッセル両端部においてベッセル内周面と中空糸膜外周面との間に封止剤を充填して形成される。膜モジュール２１は、外圧式又は内圧式のいずれでも使用できるが、中空糸内部が閉塞しにくい外圧式が好ましい。また、濾過方式としては、全量濾過方式又はクロスフロー濾過方式のいずれでもよい。一般に、全量濾過方式は、濾過操作時のエネルギー消費量が少ないが、ケーキ層の成長が速いため、逆洗浄の実施間隔や順洗浄（フラッシング）の実施間隔を短くする必要がある。これに対し、クロスフロー濾過方式は、濾過操作時の水循環のためにエネルギー消費量が多いが、ケーキ層の成長が緩やかなため、逆洗浄の実施間隔や順洗浄の実施間隔を延ばすことができる。
【００７４】
膜モジュール２１に組み込まれる中空糸膜には、逆浸透膜（「ＲＯ膜」ともいう）よりも細孔が粗い膜が用いられる。膜モジュールとして、限外濾過膜を有するＵＦ膜モジュールや、精密濾過膜を有するＭＦ膜モジュール等を適用することができる。なお、本実施形態においては、膜モジュール２１を全量濾過方式の外圧式ＵＦ膜モジュールとして、以降の装置構成や動作等を説明する。
【００７５】
ローカル原水ラインＬ１２における下流側の分岐後の部分には、それぞれ、洗浄エア供給ラインＬ５が接続されている。洗浄エア供給ラインＬ５は、ローカル原水ラインＬ１２を介して、膜モジュール２１にエアＡ１を供給するラインである。洗浄エア供給ラインＬ５の上流側の端部は、不図示のエアコンプレッサーに接続されている。洗浄エア供給ラインＬ５の下流側の端部は分岐されており、それぞれ、ローカル原水ラインＬ１２における下流側の分岐後の部分に接続されている。洗浄エア供給ラインＬ５における上流側の分岐前の部分には、エア流量調整弁Ｖ５が設けられている。エア流量調整弁Ｖ５は、例えば電磁弁からなり、ローカル制御部２２の制御により、洗浄エア供給ラインＬ５を流通するエアＡ１の量を調整するように開閉するように構成されている。
【００７６】
ローカル透過水ラインＬ２２は、複数の膜モジュール２１において製造された透過水Ｗ２を、透過水ラインＬ２１及び処理水タンク１６（図１参照）を介して、処理水使用設備１８に流通させるラインである。透過水ラインＬ２１は、膜モジュール２１と処理水タンク１６とをつなぐラインである。透過水ラインＬ２１の上流側の端部は複数のローカル透過水ラインＬ２２に分岐されており、それぞれ、膜モジュール２１に接続されている。また、透過水ラインＬ２１の下流側の端部は、処理水タンク１６（図１参照）に接続されている。ローカル透過水ラインＬ２２には、図６に示すように、膜濾過装置２０の内部において、上流側から順に、複数の膜モジュール２１、接続部Ｊ１、接続部Ｊ２、接続部Ｊ３、透過水弁Ｖ２が設けられており、図１に示すように、透過水ラインＬ２１における膜濾過装置２０と処理水タンク１６との間には、接続部Ｊ４が設けられている。
【００７７】
図６に示すように、接続部Ｊ１において、ローカル透過水ラインＬ２２には、温度センサ１１が接続されている。接続部Ｊ１は、複数の膜モジュール２１と接続部Ｊ３との間に配置されている。温度センサ１１は、ローカル制御部２２と電気的に接続されている。温度センサ１１で検出された透過水Ｗ２の温度（検出温度値）は、ローカル制御部２２へ検出信号として送信される。
【００７８】
接続部Ｊ２において、ローカル透過水ラインＬ２２には、流量センサ１２が接続されている。流量センサ１２は、後述する濾過工程において、ローカル透過水ラインＬ２２を流通する透過水Ｗ２の流量を検出する機器である。流量センサ１２は、後述する逆洗工程において、ローカル透過水ラインＬ２２を流通する逆洗水Ｗ３の流量を検出する機器である。接続部Ｊ２は、複数の膜モジュール２１と接続部Ｊ３との間に配置されている。流量センサ１２は、ローカル制御部２２と電気的に接続されている。流量センサ１２で検出された透過水Ｗ２又は逆洗水Ｗ３の流量（検出流量値）は、ローカル制御部２２へ検出信号として送信される。
【００７９】
接続部Ｊ３には、逆洗水ラインＬ３の下流側の端部が接続されている。逆洗水ラインＬ３には、膜濾過装置２０の内部において、上流側から順に、逆洗水弁Ｖ３、接続部Ｊ３が設けられている。
【００８０】
第１排出ラインＬ４は、逆洗工程で発生した逆洗排水Ｗ４又はバブリング工程（後述）で発生したエアＡ２が流通するラインである。第１排出ラインＬ４には、逆洗工程で発生した逆洗排水Ｗ４又はバブリング工程で発生したエアＡ２が系外に排出されるように流通される。第１排出ラインＬ４の上流側の端部は分岐されており、それぞれ、膜モジュール２１に接続される。第１排出ラインＬ４における下流側の合流した部分には、第１排出弁Ｖ４が設けられている。第１排出弁Ｖ４は、例えば電磁弁からなり、ローカル制御部２２の制御により、第１排出ラインＬ４を開閉するように構成されている。
【００８１】
第２排出ラインＬ６は、逆洗工程やバブリング工程において、中空糸膜から除去した汚濁物質を、系外に排出するラインである。第２排出ラインＬ６には、懸濁物質を含む排水Ｗ５が系外に排出するように流通される。第２排出ラインＬ６の上流側の端部は分岐されており、それぞれ、膜モジュール２１に接続される。第２排出ラインＬ６は、懸濁物質を含む排水Ｗ５を系外に排出する。第２排出ラインＬ６の途中には、第２排出弁Ｖ６が設けられている。第２排出弁Ｖ６は、例えば電磁弁からなり、ローカル制御部２２の制御により、第２排出ラインＬ６を開閉するように構成されている。
【００８２】
膜濾過装置２０は、各弁（原水弁Ｖ１、透過水弁Ｖ２、逆洗水弁Ｖ３、第１排出弁Ｖ４、エア流量調整弁Ｖ５及び第２排出弁Ｖ６）を切り替えることで、水張り工程と、濾過工程と、逆洗工程と、バブリング工程と、排水工程と、を実行可能である。例えば、通常運転時において、３０分間の濾過工程と、５分間のその他の工程（逆洗工程、バブリング工程、排水工程及び水張り工程）との繰り返しが、交互に行われる。膜濾過装置２０は、定流量での濾過を一定時間継続すると、中空糸膜の外側でケーキ層（汚濁物質の堆積層）が成長することで、膜間差圧が上昇する。そのため、濾過工程を一定時間継続した後には、逆洗工程、バブリング工程及び排水工程に移行して、中空糸膜の外側のケーキ層を系外に排出して、通水抵抗を回復させる工程が実施される。その後、濾過工程に備えて、水張り工程が実施される。
以下に、水張り工程、濾過工程、逆洗工程、バブリング工程及び排水工程について具体的に説明する。
【００８３】
水張り工程は、膜モジュール２１の内部に原水Ｗ１を供給して、膜モジュール２１の内部を原水Ｗ１で満たす工程である。具体的には、図７に示すように、透過水弁Ｖ２、逆洗水弁Ｖ３、エア流量調整弁Ｖ５及び第２排出弁Ｖ６を閉鎖して、原水弁Ｖ１及び第１排出弁Ｖ４を開放して、原水ポンプ３を駆動して、原水Ｗ１を膜モジュール２１の内部に供給するように操作される。
【００８４】
濾過工程は、膜モジュール２１の内部に原水Ｗ１を供給して、膜モジュール２１の中空糸膜の外側から内側に原水を通過させて、原水Ｗ１から透過水Ｗ２を製造する工程、すなわち濾過処理を行う工程である。具体的には、図７に示すように、濾過工程は、逆洗水弁Ｖ３、第１排出弁Ｖ４、エア流量調整弁Ｖ５及び第２排出弁Ｖ６を閉鎖して、原水弁Ｖ１及び透過水弁Ｖ２を開放して、原水ポンプ３を駆動して、原水Ｗ１を膜モジュール２１に圧送するように操作される。
【００８５】
逆洗工程は、逆洗水ポンプ５により逆洗水Ｗ３（透過水Ｗ２）を膜モジュール２１に供給して、膜モジュール２１の中空糸膜の内側から外側に向かって逆洗水Ｗ３を流通させる工程、すなわち逆洗処理を行う工程である。逆洗工程は、膜モジュールの膜表面に付着した汚濁物質を押し流す。具体的には、図７に示すように、逆洗工程は、原水弁Ｖ１、透過水弁Ｖ２、エア流量調整弁Ｖ５及び第２排出弁Ｖ６を閉鎖して、逆洗水弁Ｖ３及び第１排出弁Ｖ４を開放して、逆洗水ポンプ５を駆動して、逆洗水Ｗ３を膜モジュール２１に圧送するように操作される。これにより、中空糸膜の外側表面で成長したケーキ層が剥離される。洗浄後の逆洗排水Ｗ４は、第１排出ラインＬ４を介して、系外に排出される。
【００８６】
逆洗工程においては、薬剤添加装置８は、例えば複数回の逆洗工程に対して１回の頻度で、逆洗水ラインＬ３を流通する逆洗水Ｗ３の流量に比例して逆洗水Ｗ３に薬剤を供給する。薬剤添加装置８による薬剤の添加は、例えば、１日に１回程度の頻度で実行される。
【００８７】
バブリング工程は、膜モジュール２１の下部からエアＡ１を供給して、中空糸膜の束を揺動させる工程である。これにより、逆洗工程後の膜モジュール２１において、中空糸膜同士の隙間や膜の表面に残留している汚濁物質を除去する。具体的には、図７に示すように、バブリング工程は、原水弁Ｖ１、透過水弁Ｖ２、逆洗水弁Ｖ３及び第２排出弁Ｖ６を閉鎖し、第１排出弁Ｖ４及びエア流量調整弁Ｖ５を開放するように操作される。
【００８８】
排水工程は、逆洗工程やバブリング工程において、中空糸膜から除去した汚濁物質を、逆洗排水Ｗ４、エアＡ２及び排水Ｗ５として、第１排出弁Ｖ４及び第２排出弁Ｖ６を介して系外に排出する。具体的には、図７に示すように、排水工程は、原水弁Ｖ１、透過水弁Ｖ２、逆洗水弁Ｖ３及びエア流量調整弁Ｖ５を閉鎖し、第１排出弁Ｖ４及び第２排出弁Ｖ６を開放するように操作される。
【００８９】
次に、ローカル制御部２２について説明する。ローカル制御部２２は、ＣＰＵ及びメモリを含むマイクロプロセッサ（不図示）により構成される。ローカル制御部２２において、マイクロプロセッサのＣＰＵは、メモリから読み出した所定のプログラムに従って、後述する各種の制御を実行する。ローカル制御部２２において、マイクロプロセッサのメモリには、膜濾過装置２０を制御するためのデータや各種プログラムが記憶される。また、ローカル制御部２２のマイクロプロセッサには、時間の計時等を管理するインテグレーテッドタイマユニット（以下、「ＩＴＵ」ともいう）が組み込まれている。
【００９０】
ローカル制御部２２は、原水ポンプ３の駆動周波数を演算し、当該駆動周波数の演算値に対応する周波数指定信号（電流値信号又は電圧値信号）を第１インバータ４に出力する。  
【００９１】
ローカル制御部２２は、要求負荷に応じて、膜濾過装置２０により製造される透過水Ｗ２の通水流量を変更させる。具体的には、ローカル制御部２２は、信号線５２を介して台数制御装置３０から送信される台数制御信号に基づいて、第１インバータ４に周波数指定信号を入力することにより、原水ポンプ３の回転速度を制御して、膜濾過装置２０により製造される透過水Ｗ２の通水流量を制御する。
また、ローカル制御部２２は、台数制御装置３０で用いられる信号を、信号線５２を介して台数制御装置３０に送信する。台数制御装置３０で用いられる信号としては、膜濾過装置２０の実際の通水状態、及びその他のデータが挙げられる。
【００９２】
ローカル制御部２２は、原水弁Ｖ１、透過水弁Ｖ２、逆洗水弁Ｖ３、第１排出弁Ｖ４、エア流量調整弁Ｖ５、第２排出弁Ｖ６、温度センサ１１、及び、流量センサ１２に電気的に接続されている。
【００９３】
ローカル制御部２２は、水張り工程、濾過工程、逆洗工程、バブリング工程、及び排水工程を順次行うように、流路切替手段としての、原水弁Ｖ１、透過水弁Ｖ２、逆洗水弁Ｖ３、第１排出弁Ｖ４、エア流量調整弁Ｖ５、第２排出弁Ｖ６を制御する。
【００９４】
次に、台数制御装置３０における制御部３２において、膜濾過装置２０の運転台数を増減させる制御について説明する。図８は、台数制御装置３０における制御部３２において、膜濾過装置２０の運転台数を増減させる制御の処理手順を示すフローチャートである。図８に示すフローチャートの処理は、濾過システム１の運転中において繰り返し実行される。台数制御装置３０における制御部３２は、メモリから読み出した運転台数の増減処理のプログラムに基づいて、図８に示すフローチャートの処理を実行する。
【００９５】
図８に示すステップＳＴ１において、台数制御装置３０における制御部３２は、水位センサ１７で検出された検出水位値を取得する。
【００９６】
ステップＳＴ２において、制御部３２は、水位センサ１７で検出された検出水位値に基づいて、処理水使用設備１８が要求する処理水Ｗ６の要求負荷の負荷率を算出する。要求負荷は、処理水使用設備１８から要求された処理水Ｗ６（透過水Ｗ２）の流量である。要求負荷の負荷率は、膜濾過装置２０の定格流量に対する処理水使用設備１８が要求する処理水Ｗ６の要求負荷（処理水Ｗ６の流量）の割合である。
【００９７】
ステップＳＴ３において、制御部３２は、算出された要求負荷の負荷率に基づいて、各膜濾過装置２０について、最適運転負荷率ゾーン（４０％〜８０％）の範囲内であると共に均等な負荷率となるように、膜濾過装置２０の運転台数及び負荷率を算出する。例えば、処理水使用設備１８が要求する処理水Ｗ６の要求負荷の負荷率が１６０％である場合には、制御部３２は、例えば、膜濾過装置２０の運転台数を３台と算出し、均等な負荷率として５３．３％（１６０／３）を算出する。
【００９８】
ステップＳＴ４において、制御部３２は、算出された３台の膜濾過装置２０及び均等な負荷率で、３台の膜濾過装置２０を運転する。これにより、処理水使用設備１８からの要求負荷の負荷率を満たすように、３台の膜濾過装置２０は、最適運転負荷率ゾーン（４０％〜８０％）の範囲内で、同じ負荷率で運転される。
【００９９】
ステップＳＴ５において、台数制御装置３０における制御部３２は、所定期間毎（例えば１週間毎）に、水位センサ１７で検出された検出水位値を取得する。
【０１００】
ステップＳＴ６において、制御部３２は、水位センサ１７で検出された検出水位値に基づいて、処理水使用設備１８が要求する処理水Ｗ６の要求負荷の負荷率Ｘ１を算出する。
【０１０１】
ステップＳＴ７において、制御部３２は、ステップＳＴ６において算出された要求負荷の負荷率Ｘ１と、３台の膜濾過装置２０が製造する処理水Ｗ６（透過水Ｗ２）の総負荷率Ｘ２とを比較する。制御部３２により、Ｘ１＞Ｘ２と判定された場合に、処理はステップＳＴ８へ移行する。制御部３２により、Ｘ１＝Ｘ２と判定された場合に、処理はステップＳＴ９へ移行する。制御部３２により、Ｘ１＜Ｘ２と判定された場合に、処理はステップＳＴ１０へ移行する。
【０１０２】
ステップＳＴ８において、制御部３２は、膜濾過装置２０の運転台数を増加させるように制御する。そして、制御部３２は、増加後の運転台数の膜濾過装置２０について、均等な負荷率（同じ通水流量）となるように運転する。本実施形態においては、３台の膜濾過装置２０の運転台数を１台増加した４台として、４台の膜濾過装置２０は、負荷率が均等になるように運転される。
【０１０３】
図４（Ｃ）に示すように、例えば、処理水使用設備１８の要求負荷の負荷率が１６０％で３台の膜濾過装置２０を運転している場合に、要求負荷の負荷率が１６０％〜２４０％の範囲では、各膜濾過装置２０の負荷率は、最適運転負荷率ゾーン（４０％〜８０％）の範囲である。ここで、処理水使用設備１８の要求負荷の負荷率が２４０％を上回ると、３台の膜濾過装置２０のそれぞれの負荷率が最適運転負荷率ゾーン（４０％〜８０％）を上回る。そのため、図４（Ｄ）に示すように、膜濾過装置２０の台数を４台に増加させ、４台の膜濾過装置２０を均等な負荷率で運転させる。
【０１０４】
ステップＳＴ９において、制御部３２は、膜濾過装置２０の運転台数を維持させるように制御する。そして、膜濾過装置２０を維持された３台の運転台数で、３台の膜濾過装置２０は、負荷率が均等になるように運転される。
【０１０５】
ステップＳＴ１０において、制御部３２は、膜濾過装置２０の運転台数を減少させるように制御する。そして、制御部３２は、減少後の運転台数の膜濾過装置２０について、均等な負荷率（同じ通水流量）となるように運転する。本実施形態においては、３台の膜濾過装置２０の運転台数を１台減少した２台として、２台の膜濾過装置２０は、負荷率が均等になるように運転される。
【０１０６】
図５（Ｃ）に示すように、例えば、処理水使用設備１８の負荷率が１６０％で３台の膜濾過装置２０を運転している場合に、要求負荷の負荷率が１２０％〜１６０％の範囲では、各膜濾過装置２０の負荷率は、最適運転負荷率ゾーン（４０％〜８０％）の範囲である。ここで、処理水使用設備１８の要求負荷の負荷率が１２０％を下回ると、３台の膜濾過装置２０のそれぞれの負荷率が最適運転負荷率ゾーン（４０％〜８０％）を下回る。そのため、図５（Ｄ）に示すように、膜濾過装置２０の台数を２台に減少させ、２台の膜濾過装置２０を均等な負荷率で運転させる。
【０１０７】
制御部３２が、ステップＳＴ８、ＳＴ９又はＳＴ１０におけるいずれかの制御を行った後、ステップＳＴ１１において、膜濾過装置２０の運転を継続するか否かを判定する。膜濾過装置２０の運転を継続する場合（ＹＥＳ）には、処理は、ステップＳＴ５に戻る。膜濾過装置２０の運転を継続しない場合（ＮＯ）には、処理は終了する。
【０１０８】
上述した実施形態に係る濾過システム１によれば、例えば、以下のような効果が奏される。
本実施形態においては、制御部３２は、膜濾過装置群２の全体の透過水Ｗ２の通水流量の変動に対して、運転させる各膜濾過装置２０が最適運転負荷率ゾーンの範囲内で均等に負荷率を受け持つように膜濾過装置２０の運転台数を増減させ、定められた台数の膜濾過装置２０を均等な負荷率で運転させ、各膜濾過装置２０の処理水Ｗ６（透過水Ｗ２）の通水流量が最適運転負荷率ゾーンを上回る場合には、膜濾過装置２０の台数を増加させ、各膜濾過装置２０の処理水Ｗ６（透過水Ｗ２）の通水流量が最適運転負荷率ゾーンを下回る場合には、膜濾過装置２０の台数を減少させ、膜濾過装置２０の台数の増減後は、台数増減後の各膜濾過装置２０を均等な負荷率で運転させる。
【０１０９】
そのため、複数の膜濾過装置２０を、膜濾過装置群２の全体の透過水Ｗ２の通水流量の変動に対して、適正な運転台数で且つ均等な負荷率で、運転することができる。これにより、複数の膜濾過装置２０の膜モジュール２１に均等に通水して、複数の膜モジュール２１を詰まりの程度を均等にすることができる。よって、複数の濾過装置２０について、膜の詰まりが進行しにくい。
【０１１０】
また、本実施形態においては、最適運転負荷率ゾーンは、各膜濾過装置２０の定格流量に対して、膜濾過装置２０の通水流量の検出の精度を確保できる下限流量の割合と、膜濾過装置２０の膜の細孔内への懸濁物質の押し込みが起こらない上限流量の割合との間の範囲である。そのため、最適運転負荷率ゾーンを設定することにより、膜モジュール２１に通水される最適な流量が確保されると共に、個々の膜モジュール２１について最適な流通状態で使用でき、膜モジュール２１の膜詰まり及び劣化を低減することができる。
【０１１１】
以上、本発明の好ましい実施形態について説明した。しかし、本発明は、上述した実施形態に限定されることなく、種々の形態で実施することができる。
【０１１２】
例えば、本実施形態に係る濾過システム１は、５台の濾過装置２０を備えている。これに限らず、濾過システム１の濾過装置は、少なくとも２台あればよい。また、濾過システム１の濾過装置を６台以上設けた構成としてもよい。
【０１１３】
本実施形態に係る濾過システム１においては、複数の濾過装置２０が、それぞれ４本の膜モジュール２１を備えている。これに限らず、濾過システム１において、複数の膜濾過装置２０が、それぞれ、１本〜３本、又は５本以上の膜モジュールを備える構成であってもよい。
【０１１４】
本実施形態に係る濾過システム１においては、処理水使用設備１８で消費される透過水Ｗ２の水量を、処理水タンク１６に設けた水位センサ１７により検出する。これに限らず、濾過システム１において、処理水使用設備１８で消費される透過水Ｗ２の水量を、配水ラインＬ７に設けた流量センサにより検出するように構成してもよい。
【０１１５】
本実施形態に係る濾過システム１においては、処理水タンク１６と逆洗水用タンク７とを別々に設けたが、これに制限されず、処理水タンク１６と逆洗水用タンク７とを共用する１つのタンクとして構成してもよい。
【符号の説明】
【０１１６】
１  濾過システム
２  膜濾過装置群（濾過装置群）
２０  膜濾過装置（濾過装置）
３２  制御部
Ｗ１  原水（被処理水）
Ｗ２  透過水
【図１】
0006390311.tif 000002
【図２】
0006390311.tif 000003
【図３】
0006390311.tif 000004
【図４】
0006390311.tif 000005
【図５】
0006390311.tif 000006
【図６】
0006390311.tif 000007
【図７】
0006390311.tif 000008
【図８】
0006390311.tif 000009